(57)【要約】  毛髪スタイリング器は、非化学的な毛髪スタイリングを得るため、少なくとも１ＭＨｚの超音波周波数における超音波を用いる。有利にも、該超音波周波数は、１ＭＨｚと１００ＭＨｚとの間であり、好適には３ＭＨｚと１０ＭＨｚとの間であり、更に好適には３ＭＨｚと５ＭＨｚとの間である。超音波エネルギーは好適には、少なくとも１Ｗ／ｃｍ２であり、好適には１０Ｗ／ｃｍ２を超えず、例えば６Ｗ／ｃｍ２であるパワーで利用される。本発明は、毛髪のカーリング及び毛髪のストレートニングのために用いられ得る。毛髪のストレートニング方法は、毛髪を一時的に真っ直ぐにするステップと、真っ直ぐにされた毛髪を得るため、一時的に真っ直ぐにされた毛髪に超音波を当てるステップと、を有する。有利にも、５秒と２分との間の期間の間、好適には約１０秒間、超音波が当てられる。
2018521773.tif 000002
【特許請求の範囲】
【請求項１】
非化学的な毛髪スタイリングを得るため超音波周波数における超音波を用いる毛髪スタイリング器において、前記超音波周波数は少なくとも１ＭＨｚであることを特徴とする、毛髪スタイリング器。
【請求項２】
前記超音波周波数は、１ＭＨｚと１００ＭＨｚとの間であり、好適には３ＭＨｚと１０ＭＨｚとの間であり、更に好適には３ＭＨｚと５ＭＨｚとの間である、請求項１に記載の毛髪スタイリング器。
【請求項３】
前記超音波のパワーは、少なくとも１Ｗ／ｃｍ２である、請求項１又は２に記載の毛髪スタイリング器。
【請求項４】
前記超音波のパワーは、１０Ｗ／ｃｍ２を超えず、例えば６Ｗ／ｃｍ２である、請求項３に記載の毛髪スタイリング器。
【請求項５】
毛髪を一時的に真っ直ぐにするための手段と、真っ直ぐにされた毛髪を得るため、一時的に真っ直ぐにされた毛髪に超音波を当てるための超音波トランスデューサと、を有する、請求項１乃至４のいずれか一項に記載の毛髪スタイリング器。
【請求項６】
毛髪が巻き付けられることができる棒状部と、前記棒状部のまわりに巻き付けられた毛髪に超音波を当てるための超音波トランスデューサと、を有する、請求項１乃至４のいずれか一項に記載の毛髪スタイリング器。
【請求項７】
前記毛髪スタイリング器の第１の側に装着された第１の棒状部と、
前記第１の棒状部に結合される超音波を生成するための超音波トランスデューサと、
側面に前記第１の棒状部を受容するための凹部を持つ、前記毛髪スタイリング器の第２の側における第２の棒状部と、
を有し、前記毛髪スタイリング器の前記第１の側と前記第２の側との間に毛髪が配置され、前記毛髪スタイリング器の前記第１の側と前記第２の側とがともにクランピングされると、前記毛髪が縮れた又は波形の形状へと押し付けられる、請求項１乃至４のいずれか一項に記載の毛髪スタイリング器。
【請求項８】
５秒と２分との間の期間の間、好適には約１０秒間、超音波を当てるための超音波トランスデューサを有する、請求項１乃至７のいずれか一項に記載の毛髪スタイリング器。
【請求項９】
非化学的な毛髪スタイリングを得るため超音波周波数における超音波を用いる毛髪スタイリング方法において、前記超音波周波数は少なくとも１ＭＨｚであることを特徴とする、毛髪スタイリング方法。
【請求項１０】
前記超音波周波数は、１ＭＨｚと１００ＭＨｚとの間であり、好適には３ＭＨｚと１０ＭＨｚとの間であり、更に好適には３ＭＨｚと５ＭＨｚとの間である、請求項９に記載の毛髪スタイリング方法。
【請求項１１】
前記超音波のパワーは、少なくとも１Ｗ／ｃｍ２である、請求項９又は１０に記載の毛髪スタイリング方法。
【請求項１２】
前記超音波のパワーは、１０Ｗ／ｃｍ２を超えず、例えば６Ｗ／ｃｍ２である、請求項１１に記載の毛髪スタイリング方法。
【請求項１３】
毛髪を一時的に真っ直ぐにするステップと、真っ直ぐにされた毛髪を得るため、一時的に真っ直ぐにされた毛髪に超音波を当てるステップと、を有する、請求項９乃至１２のいずれか一項に記載の毛髪スタイリング方法。
【請求項１４】
棒状部のまわりに毛髪を巻き付けるステップと、前記棒状部のまわりに巻き付けられた毛髪に超音波を当てるステップと、を有する、請求項９乃至１２のいずれか一項に記載の毛髪スタイリング方法。
【請求項１５】
５秒と２分との間の期間の間、好適には約１０秒間、超音波が当てられる、請求項９乃至１４のいずれか一項に記載の毛髪スタイリング方法。
【発明の詳細な説明】
【技術分野】
【０００１】
本発明は、超音波毛髪カーリング、クリンピング又はストレートニングのような、超音波毛髪スタイリングに関する。
【背景技術】
【０００２】
米国特許US6,196,236は、短時間で効果的な毛髪スタイリングのため、効率良く毛に超音波振動をかけることが可能な、超音波毛髪カーリング（curling）装置を開示している。該装置は、筐体と、超音波振動を生成するための該筐体に組み込まれた超音波生成器と、２０ｋＨｚ乃至１００ｋＨｚの周波数で該超音波振動を受信及び送信するよう接続されたホーンと、を含む。該ホーンは、その端部に、カーリングされるべき髪の毛を周囲に受容するための、該筐体から突出した中空の樽型部を形成されている。該中空の樽型部は、その長手方向端部間の中間部分に、毛髪巻付領域を備えられ、該領域の断面は、該中空の樽型部の他の部分よりも小さい。該低減された断面の毛髪巻付領域は、超音波振動を毛髪に効率良く適用し、毛髪のカーリングを効果的に為すよう、該樽型部の前端におけるよりも大きな振幅で振動することができる。
【０００３】
欧州特許出願公開EP1728450は、毛髪処置組成物の毛髪への浸透を向上させるため、ユーザの毛髪に超音波振動を施す、超音波毛髪処置装置を開示している。圧電トランスデューサが、０．１乃至５Ｗ／ｃｍ２のパワーで、５００ｋＨｚ乃至１０ＭＨｚの周波数の振動を生成する。
【発明の概要】
【発明が解決しようとする課題】
【０００４】
本発明の目的は、数あるなかでも、毛髪スタイリング効果を得るために、化学物質を用いることなく、より効果的な超音波毛髪スタイリングを提供することにある。本発明は、独立請求項により定義される。有利な実施例は、従属請求項において定義される。請求項において、「非化学的な毛髪スタイリングを得る」との表現は、毛髪スタイリング効果を得るために、化学物質が用いられないこと、即ち、毛髪スタイリング効果が、ことによると特定の形状に力学的にされた（例えば棒状部のまわりに巻き付けられることにより、又は伸ばすことにより）毛髪に、超音波を当てることに直接に起因することを反映することを意図しており、該形状が、毛髪に超音波を施す結果として保持される。
【課題を解決するための手段】
【０００５】
本発明者は、欧州特許出願公開EP1728450の毛髪処置組成物のような化学物質を用いない効果的な毛髪スタイリングのためには、超音波の周波数が少なくとも１ＭＨｚであるべきであり、好適には１ＭＨｚを超えるべきであることを見出した。特定の実施例においては、超音波の周波数は１ＭＨｚと１００ＭＨｚとの間であり、好適には３ＭＨｚと１０ＭＨｚとの間であり、更に好適には３ＭＨｚと５ＭＨｚとの間である。本発明においては、ＭＨｚの超音波の波長により毛髪がスタイリングされ、波の放散による熱と、毛髪を通した超音波の伝播の力学的な変位との組み合わせを含む。ｋＨｚ範囲においては、これら周波数における超音波の低い放散のため、熱的な影響が存在しない。周波数が低下させられると、力学的な影響が減少し、熱的な影響が増大する。過度に高い周波数においては、毛髪は標準的な熱的なカーリング装置と同様な態様で損傷を受ける。１００ＭＨｚより高い周波数においては、超音波が毛髪の最初の層内で放散させられ、従って次の層は超音波からの影響を受けず、カーリングが、通常の熱的なカーリング装置におけるような熱板と同じ態様で熱拡散にのみ依存することとなり、毛髪の損傷に帰着し得る。
【０００６】
少なくとも１Ｗ／ｃｍ２の超音波のパワーであって、好適には１０Ｗ／ｃｍ２を超えない、例えば６Ｗ／ｃｍ２の超音波のパワーにより、好適な結果が得られた。１Ｗ／ｃｍ２のパワーから、カーリング効果が知覚され得る。該効果は、１０Ｗ／ｃｍ２以上のパワーにおいても依然として存在する。しかしながら、増大したパワーレベルにおいては、毛髪の温度及びトランスデューサの温度が上昇する。約１０秒乃至１分の処置時間により、好適な結果が得られた。
【０００７】
本発明のこれらの及び他の態様は、以下に説明される実施例を参照しながら説明され明らかとなるであろう。
【図面の簡単な説明】
【０００８】
【図１】本発明の実施例による毛髪カーラ装置の実施例を示す。
【図２】本発明の実施例による毛髪カーラ装置の実施例を示す。
【図３】本発明の実施例による毛髪カーラ装置の実施例を示す。
【図４】本発明の実施例による毛髪カーラ装置の実施例を示す。
【図５】本発明による毛髪クリンピング又はウェービング装置の実施例を示す。
【図６】本発明による毛髪ストレートニング装置の実施例を示す。
【発明を実施するための形態】
【０００９】
本発明を実装するため、基本的には先行技術である米国特許US6,196,236に示されたものと同様のハードウェアを用いることが可能である。しかしながら、パラメータ設定（周波数、パワー）は、添付される請求項に整合される必要がある。
【００１０】
図１は、本発明の実施例による毛髪カーラ（curler）装置の第１の実施例を示す。毛髪Ｈは、円筒形の棒状部のまわりに巻き付けられ、好適にはＰＺＴ又はＣＵＴ技術を用いた、超音波トランスデューサＵＳＴが、該毛髪を動かし押し付ける。ここでＰＺＴはチタン酸ジルコン酸鉛を表し、ＣＭＵＴは静電型微細加工超音波トランスデューサを表す。
【００１１】
図２は、本発明の実施例による毛髪カーラ装置の第２の実施例を示す。図２においては、超音波トランスデューサＵＳＴは、毛髪Ｈがまわりに巻き付けられる円筒形の棒状部の中に組み込まれている。
【００１２】
図３は、本発明の実施例による毛髪カーラ装置の第３の実施例を示す。図３においては、超音波トランスデューサＵＳＴは、円錐形の棒状部Ｒに結合される超音波を生成する。毛髪Ｈは、円錐形の棒状部Ｒのまわりに巻き付けられる。
【００１３】
図４は、本発明の実施例による毛髪カーラ装置の第４の実施例を示す。図４においては、超音波トランスデューサＵＳＴは、特徴部Ｆを含む円筒形の棒状部Ｒに結合される超音波を生成する。毛髪Ｈは、特徴部Ｆ内において、円筒形の棒状部Ｒのまわりに巻き付けられる。特徴部Ｆは、０．２ｍｍと４ｍｍとの間の幅を持つスロットであっても良い。
【００１４】
代替の実施例においては、以上の実施例に示されたような該棒状部の表面は、０．２ｍｍよりも小さい特徴部を含んでも良い。これらの特徴部は、該棒状部の材料自体からつくられても良いし、該棒状部に対する付加的な被覆からつくられても良い。
【００１５】
図５は、本発明による毛髪クリンパ（crimper）又はウェービング装置の実施例を示す。図５においては、超音波トランスデューサＵＳＴは、クランピング装置の上側に装着された２本の類似する棒状部Ｒに結合される超音波を生成する。側面に２つの凹部を持つ第３の棒状部が、同じクランピング装置の下側に装着され、該クランピング装置の上側と下側との間に毛髪Ｈが位置させられ、該クランピング装置がユーザによりクランプされると、該第３の棒状部が、該第１の棒状部と該第２の棒状部との間に位置し、図５に示されるような縮れた又は波形の形状へと毛髪を押し付ける。
【００１６】
本発明の一用途は、毛髪のカーリングに関連するが、代替としては、毛髪のストレートニング（straightening）のために本発明を用いることも可能である。この目的のため、カールさせられた毛髪が、処置を施される前に真っ直ぐに置かれる必要がある。こことは、毛髪を伸ばすことにより実行され得るが、毛髪をクランピングする前に該毛髪を２枚のプレート間にガイドすることによっても実行され得る。実際には、毛髪が元のカールした形で単にクランピングされると、ストレートニングの効果は働かない。加熱要素が超音波要素により置き換えられた、通常のクランピングベースの毛髪ストレートニング装置を用いることが可能である。他の実施例は、処置の前に毛髪を伸ばすよう、超音波トランスデューサの前方に配置された、毛髪伸ばし要素であり得る。更に他の実施例は、超音波トランスデューサからつくられたクランプへと、真っ直ぐに毛髪をガイドする、該クランプの前方に配置された櫛であり得る。
【００１７】
図６は、本発明による毛髪ストレートニング装置の実施例を示す。図６においては、超音波トランスデューサＵＳＴは、クランピング装置の下側又は上側におけるプレート上に超音波を生成する。伸ばし器Ｓは、該プレートの一方の側に配置され、毛髪Ｈが該クランピング装置の上側と下側との間に位置させられ、該クランピング装置がユーザによりクランプされ、該装置が動かされたときに、伸ばし器Ｓが、２枚のプレート間にクランプされた毛髪を伸ばし、真っ直ぐな形状を形成するようにする。
【００１８】
斯くして、本発明の実施例は、毛髪の超音波処置を提供し、これにより、より大きな量の毛髪が処置され、いずれの化学物質をも用いることなく、高温のアイロンのスタイリング装置におけるようないずれの熱的な損傷を毛髪に与えることなく、毛髪のスタイリングを得ることができる。ここで記載されたパラメータを用いた超音波による毛髪スタイリングは、毛髪を加熱することによって又は化学物質を用いることによって実行されるのではなく、超音波を用いて水素結合を壊して毛髪をスタイリングするという力学的な方法で実行される。
【００１９】
上述の実施例は本発明を限定するものではなく説明するものであって、当業者は添付する請求項の範囲から逸脱することなく多くの代替実施例を設計することが可能であろうことは留意されるべきである。請求項において、括弧に挟まれたいずれの参照記号も、請求の範囲を限定するものとして解釈されるべきではない。「有する（comprise）」なる語は、請求項に記載されたもの以外の要素又はステップの存在を除外するものではない。要素に先行する「１つの（a又はan）」なる語は、複数の斯かる要素の存在を除外するものではない。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図１】
2018521773.tif 000003
【図２】
2018521773.tif 000004
【図３】
2018521773.tif 000005
【図４】
2018521773.tif 000006
【図５】
2018521773.tif 000007
【図６】
2018521773.tif 000008
【国際調査報告】
2018521773.tif 000009
2018521773.tif 000010